【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
無線ＬＡＮアクセスポイントと、情報提供装置とを備える情報提供システムにおいて、
前記無線ＬＡＮアクセスポイントは、
当該無線ＬＡＮアクセスポイントの通信エリア内に存在する無線端末を検出する検出手段と、
前記検出手段によって検出された無線端末の情報を含む検出情報を前記情報提供装置へ送信する検出情報送信手段と、を有し、
前記情報提供装置は、
前記無線ＬＡＮアクセスポイントに対応する通知用情報を記憶する情報記憶手段と、
前記無線ＬＡＮアクセスポイントから送信される前記検出情報を受け付ける受付手段と、
前記検出情報で特定される無線端末のユーザの前記無線ＬＡＮアクセスポイントの通信エリア内での移動状態を示す第１移動状態情報、および、前記検出情報で特定される無線端末のユーザの前記無線ＬＡＮアクセスポイントの通信エリアと他の無線ＬＡＮアクセスポイントの通信エリアとの間の移動状態を示す第２移動状態情報を取得する取得手段と、
前記取得手段で取得した前記第１移動状態情報および前記第２移動状態情報に基づき、無線ＬＡＮアクセスポイントおよび無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供システム。
【請求項２】
前記無線ＬＡＮアクセスポイントにおける前記無線端末の滞在時間および電波強度を検出する端末状態検出手段を備え、
前記取得手段は、
前記端末状態検出手段によって検出された前記滞在時間および前記電波強度に基づき、前記第１移動状態情報を取得し、前記端末状態検出手段によって検出された前記滞在時間に基づき、前記第２移動状態情報を取得する
ことを特徴とする請求項１に記載の情報提供システム。
【請求項３】
無線ＬＡＮアクセスポイントと、情報提供装置とを備える情報提供システムにおいて、
前記無線ＬＡＮアクセスポイントは、
当該無線ＬＡＮアクセスポイントの通信エリア内に存在する無線端末を検出する検出手段と、
前記検出手段によって検出された無線端末の情報を含む検出情報を前記情報提供装置へ送信する検出情報送信手段と、を有し、
前記情報提供装置は、
前記無線ＬＡＮアクセスポイントに対応する通知用情報を記憶する情報記憶手段と、
前記無線ＬＡＮアクセスポイントから送信される前記検出情報を受け付ける受付手段と、
前記検出情報によって検出される前記無線ＬＡＮアクセスポイントにおける前記無線端末の滞在時間および電波強度に基づき、前記検出情報で特定される無線端末のユーザの前記無線ＬＡＮアクセスポイントの通信エリア内の移動状態を示す情報を取得する取得手段と、
前記取得手段で取得した前記ユーザの前記移動状態を示す情報に基づき、無線ＬＡＮアクセスポイントおよび無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供システム。
【請求項４】
無線ＬＡＮアクセスポイントと、情報提供装置とを備える情報提供システムにおいて、
前記無線ＬＡＮアクセスポイントは、
当該無線ＬＡＮアクセスポイントの通信エリア内に存在する無線端末を検出する検出手段と、
前記検出手段によって検出された無線端末の情報を含む検出情報を前記情報提供装置へ送信する検出情報送信手段と、を有し、
前記情報提供装置は、
前記無線ＬＡＮアクセスポイントに対応する通知用情報を記憶する情報記憶手段と、
前記無線ＬＡＮアクセスポイントから送信される前記検出情報を受け付ける受付手段と、
前記検出情報で特定される無線端末のユーザの属性を示す情報を取得する取得手段と、
前記取得手段で取得した前記ユーザの属性を示す情報に基づき、無線ＬＡＮアクセスポイントおよび無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供システム。
【請求項５】
前記決定手段は、
前記検出情報で特定される無線端末のユーザの属性が、前記無線ＬＡＮアクセスポイントの設置場所の利用者を示す属性を含む場合、前記通知用情報を通知する通信媒体として前記無線ＬＡＮアクセスポイントを選択し、それ以外の場合に前記通知用情報を通知する通信媒体として前記無線ＷＡＮ基地局を選択する
ことを特徴とする請求項４に記載の情報提供システム。
【請求項６】
前記取得手段は、
前記検出情報で特定される無線端末のユーザの属性を示す情報として、前記無線端末に設定された無線ＷＡＮ通信の通信契約条件および前記無線端末のパケット使用量を取得し、
前記決定手段は、
前記検出情報で特定される無線端末の無線ＷＡＮ通信によるパケット使用量が、当該無線端末に設定された無線ＷＡＮの通信契約条件で定められた最新の期間での無線端末のパケット使用量を超える場合に、前記通知用情報を通知する通信媒体として前記無線ＬＡＮアクセスポイントを選択する
ことを特徴とする請求項４または５に記載の情報提供システム。
【請求項７】
無線通信手段の通信エリア内に存在する無線端末の情報を含む検出情報を前記無線通信手段から取得する第１の情報取得手段と、
前記無線通信手段に対応する通知用情報を記憶する情報記憶手段と、
前記検出情報で特定される無線端末のユーザの前記無線通信手段の通信エリア内での移動状態を示す第１移動状態情報、および、前記検出情報で特定される無線端末のユーザの前記無線通信手段の通信エリアと他の無線通信手段の通信エリアとの間の移動状態を示す第２移動状態情報を取得する第２の情報取得手段と、
前記第２の情報取得手段で取得した前記第１移動状態情報および前記第２移動状態情報に基づき、前記無線通信手段および無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供装置。
【請求項８】
無線通信手段の通信エリア内に存在する無線端末の情報を含む検出情報を前記無線通信手段から取得する第１の情報取得手段と、
前記無線通信手段に対応する通知用情報を記憶する情報記憶手段と、
前記検出情報に基づき、前記無線通信手段の通信エリアにおける前記無線端末の滞在時間および電波強度を検出する端末状態検出手段と、
前記端末状態検出手段によって検出された滞在時間および電波強度に基づき、前記検出情報で特定される無線端末のユーザの前記無線通信手段の通信エリア内の移動状態を示す情報を取得する第２の情報取得手段と、
前記第２の情報取得手段で取得した前記ユーザの前記移動状態を示す情報に基づき、前記無線通信手段および無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供装置。
【請求項９】
無線通信手段の通信エリア内に存在する無線端末の情報を含む検出情報を前記無線通信手段から取得する第１の情報取得手段と、
前記無線通信手段に対応する通知用情報を記憶する情報記憶手段と、
前記検出情報で特定される無線端末のユーザの属性を示す情報を取得する第２の情報取得手段と、
前記第２の情報取得手段で取得した前記ユーザの属性を示す情報に基づき、前記無線通信手段および無線ＷＡＮ基地局のうちのいずれの通信媒体から前記通知用情報を通知するかを決定する決定手段と、
前記情報記憶手段に記憶された通知用情報を、前記決定手段によって決定した通信媒体から、前記検出情報で特定される無線端末に通知させる通知手段と、
を有することを特徴とする情報提供装置。
【請求項１０】
無線ＬＡＮアクセスポイントによって検出された無線端末への情報提供方法において、
前記無線ＬＡＮアクセスポイントが、
当該無線ＬＡＮアクセスポイントの通信エリア内に存在する無線端末を検出する検出工程と、
前記検出工程によって検出された無線端末の情報を含む検出情報を情報提供装置へ送信する検出情報送信工程と、を実行し、
前記情報提供装置が、
前記無線ＬＡＮアクセスポイントから送信される前記検出情報を受け付ける受付工程と、
前記検出情報で特定される無線端末のユーザの前記無線ＬＡＮアクセスポイントの通信エリア内での移動状態を示す第１移動状態情報、および、前記検出情報で特定される無線端末のユーザの前記無線ＬＡＮアクセスポイントの通信エリアと他の無線ＬＡＮアクセスポイントの通信エリアとの間の移動状態を示す第２移動状態情報を取得する取得工程と、
前記取得工程で取得した前記第１移動状態情報および前記第２移動状態情報に基づき、情報記憶手段に記憶された通知用情報を、無線ＬＡＮアクセスポイントおよび無線ＷＡＮ基地局のうちのいずれの通信媒体から通知するかを決定する決定工程と、
前記情報記憶手段に記憶された通知用情報を、前記決定工程によって決定した通信媒体から、前記検出情報で特定される無線端末に通知させる通知工程と、
を実行することを特徴とする情報提供方法。
【請求項１１】
無線ＬＡＮアクセスポイントによって検出された無線端末への情報提供方法において、
前記無線ＬＡＮアクセスポイントが、
当該無線ＬＡＮアクセスポイントの通信エリア内に存在する無線端末を検出する検出工程と、
前記検出工程によって検出された無線端末の情報を含む検出情報を情報提供装置へ送信する検出情報送信工程と、を実行し、
前記情報提供装置が、
前記無線ＬＡＮアクセスポイントから送信される前記検出情報を受け付ける受付工程と、
前記検出情報に基づき、前記無線ＬＡＮアクセスポイントの通信エリアにおける前記無線端末の滞在時間および電波強度を検出する端末状態検出工程と、
前記端末状態検出工程によって検出された滞在時間および電波強度に基づき、前記検出情報で特定される無線端末のユーザの前記無線ＬＡＮアクセスポイントの通信エリア内の移動状態を示す情報を取得する取得工程と、
前記取得工程で取得した前記ユーザの前記移動状態を示す情報に基づき、情報記憶手段に記憶された通知用情報を、無線ＬＡＮアクセスポイントおよび無線ＷＡＮ基地局のうちのいずれの通信媒体から通知するかを決定する決定工程と、
前記情報記憶手段に記憶された通知用情報を、前記決定工程によって決定した通信媒体から、前記検出情報で特定される無線端末に通知させる通知工程と、
を実行することを特徴とする情報提供方法。
【請求項１２】
無線ＬＡＮアクセスポイントによって検出された無線端末への情報提供方法において、
前記無線ＬＡＮアクセスポイントが、
当該無線ＬＡＮアクセスポイントの通信エリア内に存在する無線端末を検出する検出工程と、
前記検出工程によって検出された無線端末の情報を含む検出情報を情報提供装置へ送信する検出情報送信工程と、を実行し、
前記情報提供装置が、
前記無線ＬＡＮアクセスポイントから送信される前記検出情報を受け付ける受付工程と、
前記検出情報で特定される無線端末のユーザの属性を示す情報を取得する取得工程と、
前記取得工程で取得した前記ユーザの属性を示す情報に基づき、情報記憶手段に記憶された通知用情報を、無線ＬＡＮアクセスポイントおよび無線ＷＡＮ基地局のうちのいずれの通信媒体から通知するかを決定する決定工程と、
前記情報記憶手段に記憶された通知用情報を、前記決定工程によって決定した通信媒体から、前記検出情報で特定される無線端末に通知させる通知工程と、
を実行することを特徴とする情報提供方法。